(57)【要約】【課題】ドアの開閉を円滑に行うために、従来の不都合を伴うことなく室内外の差圧を解消し得る差圧解消型のドア構造を提供する。【解決手段】本発明の差圧解消型のドア構造は、ドア５と、ドア５が取り付けられるドア枠体３と、ドア５に設けられる錠装置１３と、ドア５に設けられ、錠装置１３の施錠作動および解錠作動に連動して上下動する上下動部材１５ｂと、ドア５に設けられ、上下動部材１５ｂに作動連結されてドア上部から下動自在に上動する栓体１７と、栓体１７に対向するドア枠体部分に設けられる通気口２１と、を含み、通気口２１は、前記施錠作動に応じて上動する栓体１７が当接係合することによって閉塞され、前記解錠作動に応じて栓体１７が下動することによって閉塞解除される。【選択図】図３
2011208429.tif 000002
【特許請求の範囲】
【請求項１】
差圧解消型のドア構造であって、
ドアと、
ドアが取り付けられるドア枠体と、
ドアに設けられる錠装置と、
ドアに設けられ、錠装置の施錠作動および解錠作動に連動して上下動する上下動部材と、
ドアに設けられ、上下動部材に作動連結されてドア上部から下動自在に上動する栓体と、
栓体に対向するドア枠体部分に設けられる通気口と、
を含み、
前記通気口は、前記施錠作動に応じて上動する前記栓体が当接係合することによって閉塞され、前記解錠作動に応じて前記栓体が下動することによって閉塞解除されることを特徴とするドア構造。
【請求項２】
請求項１に記載のドア構造において、
通気口から離間配置した換気口と、通気口および換気口を連通する内部経路と、を含む連通装置をさらに含むことを特徴とするドア構造。
【請求項３】
請求項２に記載のドア構造において、
前記内部経路は、遮音性確保のために蛇行路を含むことを特徴とするドア構造。
【請求項４】
請求項３に記載のドア構造において、
前記蛇行路は、凹凸状を呈することを特徴とするドア構造。
【請求項５】
請求項２に記載のドア構造において、
前記連通装置は、前記内部経路内の主たる空気の流れ方向に対して交差する方向に設けられる少なくとも１枚の邪魔板を含むことを特徴とするドア構造。
【請求項６】
請求項２に記載のドア構造において、
前記連通装置は、前記通気口に実質上平行に対向するように前記内部経路内に設けられる邪魔板を含むことを特徴とするドア構造。
【請求項７】
請求項２に記載のドア構造において、
前記連通装置は、前記換気口に実質上平行に対向するように前記内部経路内に設けられる邪魔板を含むことを特徴とするドア構造。
【請求項８】
請求項２に記載のドア構造において、
前記連通装置は、ドア枠体と一体であることを特徴とするドア構造。
【請求項９】
請求項２に記載のドア構造において、
前記連通装置は、ドア枠体と別体であることを特徴とするドア構造。
【請求項１０】
請求項１に記載のドア構造において、
前記錠装置および上下動部材は、市販された単一の錠装置の流用により構成されることを特徴とするドア構造。
【発明の詳細な説明】
【技術分野】
【０００１】
本発明は、ドア構造に関し、特に、差圧解消型のドア構造に関する。
【背景技術】
【０００２】
近時、建物内の各部屋の気密性が向上したことやビルの高層化（ドラフト現象）あるいは自然的な要因（強風など）によって、建物の内外あるいは部屋の内外の圧力差が大きくなり、ドアが重くなって開け閉めが相当に困難になるという報告が多くなっている。
【０００３】
これを解決するために様々な提案が為されており、たとえば、特許文献１には、ドアの取っ手を所定角度回したときに、取っ手側に設けた貫通孔と対向するドア側の貫通孔とが揃って室内外の差圧の調整を行う差圧解消構造が開示されている。
【０００４】
【特許文献１】特許第３８５３４９５号公報
【発明の開示】
【発明が解決しようとする課題】
【０００５】
上記従来構造の場合、ドアの取っ手という極めて身近な、そして、著しく限定された箇所（場所）に貫通孔を設ける形式であるがために、音漏れ、光漏れやセキュリティなどの面で更なる検討が必要であり、また、美観を損ねないデザインが思いの外に困難であるといった課題がある。
【０００６】
本発明は、このような従来の不都合を解消し得る合理的・経済的な差圧解消型のドア構造を提供し、もって美観、気密性、防犯性を低下させることなく、差圧によって重くなったドアの容易な開閉を図ることをその課題とする。
【課題を解決するための手段】
【０００７】
上記課題を解決するために、本発明の差圧解消型のドア構造の第１態様は、
ドアと、ドアが取り付けられるドア枠体と、ドアに設けられる錠装置と、ドアに設けられ、錠装置の施錠作動および解錠作動に連動して上下動する上下動部材と、ドアに設けられ、上下動部材に作動連結されてドア上部から下動自在に上動する栓体と、栓体に対向するドア枠体部分に設けられる通気口と、を含み、
前記通気口は、前記施錠作動に応じて上動する前記栓体が当接係合することによって閉塞され、前記解錠作動に応じて前記栓体が下動することによって閉塞解除されることを特徴とする。
【０００８】
第２態様は、第１態様において、通気口から離間配置した換気口と、通気口および換気口を連通する内部経路と、を含む連通装置をさらに含むことを特徴とする。
第３態様は、第２態様において、前記内部経路が、遮音性確保のために蛇行路を含むことを特徴とする。
第４態様は、第３態様において、前記蛇行路が、凹凸状を呈することを特徴とする。
第５態様は、第２態様において、前記連通装置が、前記内部経路内の主たる空気の流れ方向に対して交差する方向に設けられる少なくとも１枚の邪魔板を含むことを特徴とする。
第６態様は、第２態様において、前記連通装置が、前記通気口に実質上平行に対向するように前記内部経路内に設けられる邪魔板を含むことを特徴とする。
第７態様は、第２態様において、前記連通装置が、前記換気口に実質上平行に対向するように前記内部経路内に設けられる邪魔板を含むことを特徴とする。
第８態様は、第２態様において、前記連通装置が、ドア枠体と一体であることを特徴とする。
第９態様は、第２態様において、前記連通装置が、ドア枠体と別体であることを特徴とする。
第１０態様は、第１態様において、前記錠装置および上下動部材が、市販された単一の錠装置の流用により構成されることを特徴とする。
【発明の効果】
【０００９】
上記従来の不都合を伴うことなく室内外の差圧を効果的に解消することができる。
【発明を実施するための最良の形態】
【００１０】
以下、図面を参照して、本発明の一実施の形態を説明するが、本発明は図示実施形態自体に限定されないことは言うまでもない。
【００１１】
図１を参照すると、壁１には、ドア枠３が固定設置され、ドア枠３の内側側部には、ドア５が蝶番７によって回動自在に取り付けられる。
ドア５の蝶番７とは反対の側の略中央には、空錠９が、その上側および下側には、互いに異なった形式の本締錠１１、１３がそれぞれ設置される。
【００１２】
空錠９は、錠前を具備していないので戸締まり（施錠）できないが、ラッチを具備しているので閉まった状態を維持できる錠装置からなる。
下側の本締錠１１は、施錠するためのデッドボルト（かんぬき）が横方向に突没し得る錠装置（通常の市販品）からなる。特に、図示実施形態のそれは、ボルトが鎌の形をした防犯性の高い鎌錠となっている。
【００１３】
ここで、図２も参照すると、上側の本締錠１３は、横方向および上方向にデッドボルト１５がそれぞれ突出（前後動）する２点施錠式の錠装置（通常の市販品）からなる。
横方向に突出するデッドボルト１５ａは、本来通り施錠のために使用され、特に、図示実施形態のそれは、ボルト先端が鎌の形をした防犯性の高い鎌錠となっている。
【００１４】
上下動する他方のデッドボルト１５ｂは、施錠のために使用されず、代わりに、水平方向に延びるバー部材１７に作動連結されている。
バー部材１７は、ドア５内部の上側において、上下方向に並進的に往復上下動（上下に平行移動）できるように支持されている。
【００１５】
他方、図３に示すように、ドア上面に対向するドア枠３（上枠）の外面すなわち下面（水平面）には、所定間隔で複数の通気口２１が形成されている。なお、通気口２１を複数ではなく１つだけ設けるような構成にすることもできる。
【００１６】
ドア枠３の内部には、内部空間Ａが形成され、通気口２１から離れた個所には、室内に開口する換気口２３が形成されている。内部空間Ａは、通気口２１と換気口２３とを結ぶ空気流通のための内部経路Ａを構成している。この内部経路Ａは、図３から理解され得るように、光漏れや音漏れを軽減ないしはなくすために、凹凸状を呈する蛇行路を構成している。
【００１７】
詳細には、ドア枠３（内部空間Ａ）の中には、通気口２１に実質上平行に対向するように第１の邪魔板２５（図では水平方向に延びる）が設けられる。そこから進んだ位置には、第２の邪魔板２７（図では天地方向に延びる）が設けられ、そこから更に進んだ位置には、第３の邪魔板２９（図では天地方向に延びる）が設けられる。第３の邪魔板２９は、換気口２３に実質上平行に対向する。
【００１８】
このように、内部経路内の主たる空気の流れ方向に対して交差する方向に少なくとも１枚の邪魔板が設けられ、そのために、遮音効果・遮光効果が飛躍的に向上させることができる。
【００１９】
なお、ドア枠３内部に内部空間Ａを形成する上記構成に代えて、通気口および換気口を連通する内部経路を含みつつドア枠とは別体に形成した装置（内部空間を構成する装置）をドア枠に後付けするような構成にすることもできる。すなわち、本実施形態では、ドア枠（上枠）に差圧解消機構（内部経路ないし連通装置）を組み込んで一体化しているが、これに代えて、別体の装置として製造して、それをドア枠に後付け設置するような構成が可能である。
【００２０】
以上の構成を有する本実施形態においては、ドア５が閉じられて施錠された場合、施錠作動に連動してデッドボルト１５ｂが上動して、バー部材１７が並進的に上昇してドア枠３（上枠）の上面（水平面）に全体的に当接・係合する。これにより、ドア枠３の通気口２１を効果的に塞ぐことができ、室内を室外から隔離、すなわち、室内の気密性を形成することができる。好ましくは、通気口２１の閉塞性を高めるために、バー部材１７と通気口２１との間には、所定のシール板が配置構成される。
【００２１】
他方、ドア５の施錠が解除された場合、解錠作動に連動してデッドボルト１５ｂが下動して、バー部材１７が並進的に下降してドア枠３の外面から引き離される。これにより、ドア枠３の通気口２１が開放され、室内の隔離状態を解消できる。すなわち、内部経路（上枠）を空気が通り抜けて、室内外の圧力差が緩和（解消）される。したがって、特にドア開時に起き得る室内外の圧力差による不快な「ドアが重くて開けにくい」現象を見事に緩和・解消することが可能になる。ドア閉時においても、同様な効果を得ることができる。
【００２２】
また、ドア周りの外観に殆ど影響を及ぼさないデザインが可能であるので、様々な建築物に適用・応用でき、非常に実用的・実際的である。
さらに、本実施形態のドア構造によれば、防火性能、遮音性能、気密性能、断熱性能等を従来と同等もしくはそれ以上に維持・向上することができる。
【００２３】
また、通気口２１を高い位置に設けることができるので、音漏れや光漏れといった不都合を回避することができ、また、セキュリティ上も好適である。また、通気口２１および換気口２３の双方を外観から目立たない位置に設けることができるので、すなわち、見え掛かり位置に設けないようにできるので、人に違和感を与えることがない。
本実施形態によれば、本締錠（錠装置１３）および上下動部材（デッドボルト１５ａ）として、それらの機能を単体で有する市販品（２点施錠式の錠装置）を流用・転用して合理的に装置構成できるので合理的・経済的である。
【００２４】
本発明は、上述したように本実施形態に限定されるものではなく、本発明の要旨の範囲内、すなわち、特許請求の範囲に記載された範囲内で、各種の改変・変形実施が可能である。
【図面の簡単な説明】
【００２５】
【図１】本発明の一実施形態のドア構造を室内側から見た図である。
【図２】要部を構成する本締錠およびバー部材を示す斜視図である。
【図３】図１のＩＩＩ−ＩＩＩ線に沿い矢印方向から見た、ドア構造の要部の断面図である。
【符号の説明】
【００２６】
Ａ    内部空間（内部経路）
１    壁
３    ドア枠
５    ドア
７    蝶番
９    空錠
１１，１３    本締錠
１５、１５ａ、１５ｂ    デッドボルト
１７    バー部材
２１    通気口
２３    換気口
２５、２７、２９    邪魔板  
【図１】
2011208429.tif 000003
【図２】
2011208429.tif 000004
【図３】
2011208429.tif 000005